(57)【要約】【課題】人間工学的な係止を実現することができる蓄電モジュールを得る。【解決手段】手工具装置のハウジング部分１に対して挿入方向Ａに挿入することができる蓄電モジュールであって、モジュールハウジング３の挿入方向Ａに直交して互いに対向する側面に、少なくとも１個の板ばね４によって外方に押圧変位した係止フック５を設け、この係止フック５に指押え面６を連結し、係止フックを休止位置Ｉとロック解除位置IIとの間で移動可能にした蓄電モジュールにおいて、少なくとも１個の板ばね４を両凸形状に構成し、休止位置Ｉとロック解除位置IIとの間で局部的な力の最小値ポイント１１を生ずるようにする。好適には、ロック解除位置IIではエネルギ的に不安定となるようにし、また板ばね４は、クリック音を生ずるよう緩衝作用が少ない構成とする。また、２個の係止フック（５）のそれぞれに、ばね特性が同一の両凸形状の板ばね（４）を連結する。【選択図】図１
2004291229.tif 000002
【特許請求の範囲】
【請求項１】
手工具装置のハウジング部分（１）に対して挿入方向（Ａ）に挿入することができる蓄電モジュールであって、モジュールハウジング（３）の前記挿入方向（Ａ）に直交して互いに対向する側面に、少なくとも１個の板ばね（４）によって外方に押圧変位した係止フック（５）を設け、この係止フック（５）に指押え面（６）を連結し、係止フックを休止位置（Ｉ）とロック解除位置（II）との間で移動可能にした蓄電モジュールにおいて、前記少なくとも１個の板ばね（４）を両凸形状に構成し、休止位置（Ｉ）とロック解除位置（II）との間で局部的な力の最小値ポイント（１１）を生ずるようにしたことを特徴とする蓄電モジュール。
【請求項２】
前記ロック解除位置（II）ではエネルギ的に不安定となるようにした請求項１記載の蓄電モジュール。
【請求項３】
前記板ばね（４）は、緩衝作用が少ない構成とした請求項１または２に記載の蓄電モジュール。
【請求項４】
２個の係止フック（５）のそれぞれに、ばね特性が同一の両凸形状の板ばね（４）を連結した請求項１乃至３のうちのいずれか一項に記載の蓄電モジュール。
【請求項５】
前記板ばね（４）を、前記指押え面（６）の縦方向領域（Ｘ）を越えて延在させた請求項１乃至４のうちのいずれか一項に記載の蓄電モジュール。
【発明の詳細な説明】
【技術分野】
【０００１】
本発明は、好適には、コンビハンマー、ドリルねじ回し装置等の電動手工具装置に差し込むことができる蓄電モジュールの係止に関するものである。
【背景技術】
【０００２】
手工具装置に挿入可能な蓄電モジュールのハウジング部分に、挿入方向に直交して互いに対向する側面に配置した２個の係止フックを設け、これら係止フックを外方にばね押圧する板ばねを手の２本の指で押し込むことができるようにした蓄電モジュールがある（例えば、特許文献１および特許文献２参照）。ただし、平坦な板ばねはほぼ線形的なばね特性を示すため、両側から指で押し込んで係止位置からロック解除する際には極めて大きな力を加える必要がある。ロック解除に関しての感触がえられるフィードバックはない。更に、指押え面の縦方向領域の外側で板ばねは蓄電モジュールハウジングに連結されており、従って、短くて幅広の板ばねが必要であり、この板ばねの面積は小さい。
【特許文献１】欧州特許第１０６９６３０号明細書
【特許文献２】米国特許第５２１３９１３号明細書
【０００３】
また、錠止機構に関して非線形特性のばね素子がある（例えば、特許文献３参照）。更に、両凸形状の板ばねを使用する折り畳み蓋用留め金がある（例えば、特許文献４参照）。更にまた、板ばねのスナップ音で操作の感触が得られ、聞き取ることができる押しボタンがある（例えば、特許文献５参照）。
【特許文献３】欧州特許第５８２７２９号明細書
【特許文献４】独国特許第１９９０３２６３号明細書
【特許文献５】米国特許第４９９０７３１号明細書
【発明の開示】
【発明が解決しようとする課題】
【０００４】
本発明の目的は、人間工学（エルゴノミクス）的な係止を実現することができる蓄電モジュールを得るにある。
【課題を解決するための手段】
【０００５】
この目的を達成するため、本発明は、工具装置のハウジング部分に対して挿入方向に挿入することができる蓄電モジュールであって、モジュールハウジングの前記挿入方向に直交して互いに対向する側面に、少なくとも１個の板ばねによって外方に押圧変位した係止フックを設け、この係止フックに指押え面を連結し、係止フックを休止位置とロック解除位置との間で移動可能にした蓄電モジュールにおいて、前記少なくとも１個の板ばねを両凸形状に構成し、休止位置とロック解除位置との間で局部的な力の最小値ポイントを生ずるようにしたことを特徴とする。
【発明の効果】
【０００６】
板ばねを両凸形状に構成したため、板ばねは変形の際に、へこみ作用に基づいて、非線形ばね特性を生じ、このばね特性曲線には、局部的な力の最小値ポイントを有するよう逓減する曲線部分に局部的な力の最大値ポイントも必ず存在する。従って、休止位置からロック解除位置への移行の際に、解除位置で必要とされる保持力は少なくて済み、指は負担が軽くなることを感じ取ることができる。更に、ロック解除位置に達したことは、ユーザーが局部的な力の最大値を越えた後に感じる係止フックのへこみ感覚（クリック‐圧力転向ポイント）により認識可能なフィードバックが得られる。
【発明を実施するための最良の形態】
【０００７】
本発明の好適な実施例では、ロック解除位置ではエネルギ的に不安定となるようにする、すなわち、配分される潜在エネルギには局部的なエネルギ最小値がないようにする。これにより、保持力が減少すると、係止フックは、自動的に休止位置に復帰するように付勢される。
【０００８】
また、本発明の好適な実施例においては、板ばねは緩衝作用が少ない構成とし、例えば、ばね鋼の薄片により構成する。これにより、板ばねは、休止位置からロック解除位置への移行中に、明瞭に聞き取ることができるクリック音を生ずることができる。
【０００９】
さらに、本発明の好適な実施例においては、２個の係止フックのそれぞれに、ばね特性が同一の両凸形状の板ばねを連結する。この構成によれば、モジュールハウジングの双方の板ばねに加える力を半分に分割することができる。
【００１０】
さらにまた、本発明の好適な実施例においては、板ばねを、指押え面の縦方向領域を越えて延在させる。この構成によれば、より大きい両凸面が得られ、ばね特性曲線の逓減部分を大きくすることができる。
【００１１】
次に、図面につき本発明の好適な実施例を説明する。
【実施例】
【００１２】
図１には、詳細には図示しない手工具装置のハウジング１対して挿入方向Ａに挿入した蓄電モジュール２を示し、この蓄電モジュールのモジュールハウジング３の、蓄電モジュール２の挿入方向Ａに直交して互いに対向する側面に、ばね鋼の薄片で形成した２個の両凸形状の板ばね４によって外方に押圧される係止フック５を設け、この係止フック５には指で押圧する指押え面６を設ける。図面の右側の係止フック５は休止位置Ｉにある状態を示し、左側の係止フック５は、ロック解除位置IIにある状態を示す。これら係止フックの各々の片側にはモジュールハウジング３に連結した板ばね４を、指押え面６の縦方向領域Ｘを越えて延在させる。
【００１３】
図２に示すように、両凸板ばね４は、係止フック５の指押え面６の縦方向領域Ｘを越えて延在する大きな範囲にわたる両凸面７により構成する。
【００１４】
図３は、各両凸板ばねの力‐たわみ量曲線８を示し、休止位置Ｉとロック開放位置IIとの間では、局部的な力の最小値ポイント１０と局部的な力の最大値ポイント１１を有する窪んだ局部的曲線９となる。この局部的曲線９に配分される潜在エネルギ１２は単調に増加し、局部的な最小値も存在しない。
【図面の簡単な説明】
【００１５】
【図１】蓄電モジュールの線図的断面図である。
【図２】蓄電モジュールの細部の斜視図である。
【図３】ばね特性を示すグラフである。
【符号の説明】
【００１６】
１  手工具装置のハウジング
２  蓄電モジュール
３  モジュールハウジング
４  板ばね
５  係止フック
６  指押え面
７  両凸面
８  力‐たわみ量曲線
９  局部的曲線
１０  力の最小値ポイント
１１  力の最大値ポイント
【図１】
2004291229.tif 000003
【図２】
2004291229.tif 000004
【図３】
2004291229.tif 000005